(57)【特許請求の範囲】
【請求項１】
通信ネットワークを介して調査対象に対する被験者の評価を得る第１の調査手段と、
既存の評価に対する評価を行う相互評価用被験者を選定する相互評価用被験者選定手段と、
相互評価用被験者に対して既存の評価を通信ネットワーク経由で提示し評価を得る第２の調査手段と、
前記第１の調査手段及び前記第２の調査手段により得られた各評価を関連付けて記録する評価記録手段と、
を備え、
前記第１の調査手段又は前記第２の調査手段は、被験者の評価と調査対象の合致度、又は、被験者の評価間の合致度をさらに得るものであり、
前記評価記録手段は、前記合致度をさらに記録することを特徴とする調査装置。
【請求項２】
相互評価用被験者及び回答の有無を記録する相互評価割り当てデータベースを備えたことを特徴とする請求項１に記載の調査装置。
【請求項３】
既存の評価に対する相互評価用被験者の割り当て数を管理する相互評価管理データベースを備えたことを特徴とする請求項１に記載の調査装置。
【請求項４】
前記第１の調査手段又は前記第２の調査手段は、被験者に対して既存の評価を提示し、その提示した中から評価を選択可能にすることを特徴とする請求項１に記載の調査装置。
【請求項５】
前記評価記録手段は、被験者の独自の評価であるか否かをさらに記録することを特徴とする請求項１に記載の調査装置。
【請求項６】
前記評価記録手段は、被験者の独自の評価から何代目の評価であるのかを記録することを特徴とする請求項５に記載の調査装置。
【請求項７】
通信ネットワークを介して調査対象に対する被験者の評価を得る第１の調査機能と、
既存の評価に対する評価を行う相互評価用被験者を選定する相互評価用被験者選定機能と、
相互評価用被験者に対して既存の評価を通信ネットワーク経由で提示し評価を得る第２の調査機能と、
前記第１の調査機能及び前記第２の調査機能により得られた各評価を関連付けて記録する評価記録機能と、
をコンピュータに実現させるコンピュータプログラムであって、
前記第１の調査機能又は前記第２の調査機能は、被験者の評価と調査対象の合致度、又は、被験者の評価間の合致度をさらに得るものであり、
前記評価記録機能は、前記合致度をさらに記録する、
ことを特徴とするコンピュータプログラム。
【発明の詳細な説明】
【技術分野】
【０００１】
本発明は、インターネット等の通信ネットワークを利用して調査を行う調査装置及びコンピュータプログラムに関する。
【背景技術】
【０００２】
近年、インターネットを利用した広域調査が普及してきている。例えば、ある商品（調査対象）についてのアンケートをウェブ（Ｗｅｂ）ページにより行うことで、アンケート回答者（被験者）をインターネット上で広く募ることができ、広域アンケートを簡易に行うことが可能である。従来のインターネットを利用した調査装置としては、例えば、ＳＤ法（Semantic Differential method）を利用したものが知られている。ＳＤ法を利用した調査装置では、調査対象（例えば商品）を評するための言葉を事前に準備しておき、該言葉をＷｅｂページ上に表示させて、該言葉と調査対象との合致度を多段階評価によりＷｅｂページ上で被験者に回答させている。また、調査対象に合致する言葉を被験者に自由記述させるものもある。
【非特許文献１】青尾稔，“アメリカにおける新しいデータ収集技法（データ収集とIT革命の特集号）．マーケティング・リサーチャー  87，日本マーケティング・リサーチ協会，2000，11−16．
【非特許文献２】増山英太郎、小林茂雄，“センソリー・エバリュエーション”，垣内出版株式会社，1989，pp．16
【発明の開示】
【発明が解決しようとする課題】
【０００３】
しかし、上述した従来の調査装置では、各被験者が調査対象に対して感じた評価を得ることはできるが、調査対象に係る評価構造を詳細に分析するために、さらに、ある被験者の評価に対する第三者の評価を得ることはできない。
【０００４】
本発明は、このような事情を考慮してなされたもので、その目的は、インターネット等の通信ネットワークを利用して調査対象に対する被験者の評価を得るとともに、ある被験者の評価に対する第三者の評価を得ることのできる調査装置及びコンピュータプログラムを提供することにある。
【課題を解決するための手段】
【０００５】
上記の課題を解決するために、本発明に係る調査装置は、通信ネットワークを介して調査対象に対する被験者の評価を得る第１の調査手段と、既存の評価に対する評価を行う相互評価用被験者を選定する相互評価用被験者選定手段と、相互評価用被験者に対して既存の評価を通信ネットワーク経由で提示し評価を得る第２の調査手段と、前記第１の調査手段及び前記第２の調査手段により得られた各評価を関連付けて記録する評価記録手段とを備えたことを特徴とする。
【０００６】
本発明に係る調査装置においては、相互評価用被験者及び回答の有無を記録する相互評価割り当てデータベースを備えたことを特徴とする。
【０００７】
本発明に係る調査装置においては、既存の評価に対する相互評価用被験者の割り当て数を管理する相互評価管理データベースを備えたことを特徴とする。
【０００８】
本発明に係る調査装置においては、前記第１の調査手段又は前記第２の調査手段は、被験者に対して既存の評価を提示し、その提示した中から評価を選択可能にすることを特徴とする。
【０００９】
本発明に係る調査装置においては、前記評価記録手段は、被験者の独自の評価であるか否かをさらに記録することを特徴とする。
【００１０】
本発明に係る調査装置においては、前記評価記録手段は、被験者の独自の評価から何代目の評価であるのかを記録することを特徴とする。
【００１１】
本発明に係る調査装置においては、前記第１の調査手段又は前記第２の調査手段は、被験者の評価と調査対象の合致度、又は、被験者の評価間の合致度をさらに得るものであり、前記評価記録手段は、前記合致度をさらに記録することを特徴とする。
【００１２】
本発明に係るコンピュータプログラムは、通信ネットワークを介して調査対象に対する被験者の評価を得る第１の調査機能と、既存の評価に対する評価を行う相互評価用被験者を選定する相互評価用被験者選定機能と、相互評価用被験者に対して既存の評価を通信ネットワーク経由で提示し評価を得る第２の調査機能と、前記第１の調査機能及び前記第２の調査機能により得られた各評価を関連付けて記録する評価記録機能とをコンピュータに実現させることを特徴とする。
これにより、前述の調査装置がコンピュータを利用して実現できるようになる。
【発明の効果】
【００１３】
本発明によれば、インターネット等の通信ネットワークを利用して調査対象に対する被験者の評価を得るとともに、ある被験者の評価に対する第三者の評価を得ることができる。
【発明を実施するための最良の形態】
【００１４】
以下、図面を参照し、本発明の実施形態について説明する。
図１は、本発明の一実施形態に係る調査システムの全体構成を示すブロック図である。図１において、調査装置１は通信ネットワーク４に接続されている。各被験者が使用する端末（被験者端末）２は、それぞれ通信ネットワーク４に接続されている。調査の管理者が使用する端末（管理者端末）３は通信ネットワークに接続されている。通信ネットワーク４は、無線ネットワークであっても、有線ネットワークであってもよい。例えば、通信ネットワーク４は、インターネットと固定電話網や移動電話網などから構成されてもよい。調査装置１は、通信ネットワークを介して、各被験者端末２及び管理者端末３との間でデータを相互に伝送することができる。
【００１５】
被験者端末２及び管理者端末３は、移動しながら使用可能な装置（例えば、携帯型の端末装置）であってもよく、或いは、固定して使用される装置（例えば、パーソナルコンピュータ等の据置き型の端末装置）であってもよい。また、携帯型の端末装置としては、例えば、移動通信事業者が提供する移動通信網の端末装置（例えば、データ通信機能を有する携帯電話機、データ通信端末装置等）、ＰＤＡ（Personal Digital Assistants：個人用情報機器）などが挙げられる。また、ＰＤＡの場合、通信手段を内蔵していてもよく、外部から通信手段を接続するものであってもよい。
【００１６】
調査装置１は、調査用のＷｅｂサイトを通信ネットワーク４上で公開する。調査用Ｗｅｂサイトは、被験者用のＷｅｂページと管理者用のＷｅｂページを有する。被験者端末２及び管理者端末３は、Ｗｅｂブラウザ機能を有しており、通信ネットワーク４上に公開されているＷｅｂサイトにアクセスすることができる。被験者は、被験者端末２を操作して被験者用のＷｅｂページにアクセスし、調査への応募及び回答を行う。管理者は、管理者端末３を操作して管理者用のＷｅｂページにアクセスし、調査の運用及び保守を行う。
【００１７】
図２は、図１に示す調査装置１のハードウェア構成を示すブロック図である。図２において、調査装置１は、ＣＰＵ（中央演算処理装置）１１と記憶部１２と通信部１３と操作部１４と表示部１５と外部装置インタフェース部１６を備える。各部１１〜１６はバスで接続されている。
【００１８】
ＣＰＵ１１は、記憶部１２に記憶されるプログラムを実行することにより、各種の情報処理機能（装置制御機能、パケット通信機能、Ｗｅｂ機能、調査機能など）を実現する。記憶部１２は、ＣＰＵ１１で実行されるプログラムおよび各種データを記憶する。記憶部１２としては、例えば、ハードディスク装置、光磁気ディスク装置、ＤＶＤ（Digital Versatile Disk）等の光ディスク装置、フラッシュメモリ等の不揮発性のメモリ、ＤＲＡＭ（Dynamic Random Access Memory）等の揮発性のメモリなどが利用可能である。ＣＰＵ１１は記憶部１２にアクセスし、データを読み書きすることができる。
【００１９】
通信部１３は、通信ネットワーク４に接続し、データを送受信する。操作部１４は、キーボード、テンキー、マウス等の入力デバイスから構成され、被験者の操作に応じたデータ入力を行う。表示部１５は、ＣＲＴ（Cathode Ray Tube）や液晶表示装置等の表示デバイスから構成され、データ表示を行う。外部装置インタフェース部１６は、プリンタやＤＶＤ等の記録装置などの外部機器との間で有線又は無線により直接にデータを送受する。
【００２０】
図３は、図１に示す調査装置１の機能構成を示すブロック図である。図３には、図２に示すＣＰＵ１１が記憶部１２に記憶されているプログラムを実行して実現する機能を展開したブロック構成のうち、パケット通信機能、Ｗｅｂ機能及び調査機能に係る部分を示している。
図３において、パケット通信処理部２１は、通信ネットワーク４を介してパケットの送受を行い、各端末２，３との間でパケット通信を行う。
【００２１】
Ｗｅｂ処理部２２は、通信ネットワーク４上にＷｅｂサイトを公開し、Ｗｅｂサイトを介して各端末２，３との間でデータを授受する。Ｗｅｂサイト内のＷｅｂページは、パケット通信処理部２１から各端末２，３に送信され、各端末２，３に画面表示される。また、各端末２，３により画面表示されたＷｅｂページを介して入力されたデータは、各端末２，３から送信されてパケット通信処理部２１で受信され、Ｗｅｂ処理部２２に渡される。
【００２２】
調査処理部２３は、Ｗｅｂサイトを利用して調査を行うための情報処理を行う。調査処理部２３は、Ｗｅｂ処理部２２との間で、調査用Ｗｅｂサイトのデータを授受するとともに調査用Ｗｅｂサイト運用上の制御を行う。
【００２３】
図４は、図１に示す調査システムにおける調査処理全体の流れを示すシーケンスチャートである。
図４において、ステップＳ１（プロフィール登録処理）では、調査装置１が、被験者端末２からの被験者のプロフィールの登録入力を受け付け、被験者のプロフィールを登録する。
ステップＳ２では、調査装置１が、管理者端末３からの調査テーマ（以下、単に「テーマ」と称する）の登録入力を受け付け、テーマを登録する（テーマ登録処理）。テーマは、調査対象（例えば、商品、会社、店舗、ファッション等のブランドなど）を表す。そして、登録したテーマについてどの被験者に回答してもらうのかを決定し、登録テーマの回答者として被験者の割り付けを行う（テーマ割付処理）。
【００２４】
ステップＳ３（評価提示処理）では、調査装置１が、被験者端末２からのテーマ選定入力を受け付け、選定されたテーマについての評価登録メニュー用Ｗｅｂページを被験者端末２に表示させる。そして、その評価登録メニューにより選択された評価登録用Ｗｅｂページ（新規登録用Ｗｅｂページ又は追加登録用Ｗｅｂページ）を被験者端末２に表示させる。
【００２５】
ステップＳ４は、ステップＳ３で新規登録用Ｗｅｂページが被験者端末２に表示された場合の処理である。ステップＳ４では、調査装置１が、被験者端末２からの評価の新規登録入力を受け付け、新規登録の評価について評価してもらう第三者の被験者を選定し登録する（相互評価用被験者選定処理）とともに、受け付けた評価を新規登録する（評価新規登録処理）。
【００２６】
ステップＳ５は、ステップＳ３で追加登録用Ｗｅｂページが被験者端末２に表示された場合の処理である。ステップＳ５では、調査装置１が、被験者端末２からの評価の追加登録入力を受け付け、追加登録の評価について評価してもらう第三者の被験者を選定し登録する（相互評価用被験者選定処理）とともに、受け付けた評価を追加登録する（評価追加登録処理）。
【００２７】
ステップＳ６では、調査装置１が、所定の調査終了条件に基づいて調査の終了を判定する（終了判定処理）。該判定結果が調査終了である場合には、調査装置１は調査処理を終了する。一方、該判定結果が調査終了ではない場合には、調査装置１は、ステップＳ３〜Ｓ５を繰り返す。
【００２８】
以下、本実施形態に係る調査装置１が行う調査処理について、いくつかの実施例を挙げて詳細に説明する。なお、以下の説明では、Ｗｅｂページのことを単に「ページ」と称する。また、各種のデータベース（ＤＢ）は、調査装置１内の記憶部１２に格納される。
【実施例１】
【００２９】
図５及び図６は、図１に示す調査装置１が行う調査処理の流れを示すフローチャートである。図５には、管理者端末３とのやり取りに係る処理フローが示されている。図６には、被験者端末２とのやり取り係る処理フローが示されている。
【００３０】
まず、図５を参照して、管理者端末３に係る処理を説明する。
図５において、ステップＳ１１では、管理者端末３からのアクセスがあると、管理者トップページを管理者端末３に表示させる。図７に管理者トップページ１０１の構成例を示す。管理者トップページ１０１には、テーマの新規登録を選択するための操作ボタン（文字列）と、既存テーマ（説明の便宜上のテーマ例として「△△車の評価」、「△□レストランの評価」を挙げている）の修正を選択するための操作ボタン（○印）とを設ける。
【００３１】
ステップＳ１２では、管理者トップページ１０１上で選択されたテーマの新規登録・修正ページ１０２を管理者端末３に表示させる。図８にテーマの新規登録・修正ページ１０２の構成例を示す。テーマの新規登録・修正ページ１０２には、テーマの名称（テーマ名）、テーマの説明、調査の終了条件などの入力欄と、登録を決定するための操作ボタンとを設ける。さらに、被験者の数、被験者に対する条件などを入力する欄を設けてもよい。
【００３２】
ステップＳ１３では、テーマの新規登録・修正ページ１０２上で入力された内容をテーマＤＢに登録する。図９にテーマＤＢの構成例を示す。テーマＤＢには、テーマ毎に、テーマの識別情報（テーマＩＤ）、テーマ名、テーマの説明、相互評価用被験者上限数、相互評価選定アルゴリズムの指定、調査開始日、調査終了条件などを格納する。相互評価用被験者上限数は、ある被験者が登録した評価に対する評価（相互評価）を行う第三者の被験者（相互評価用被験者）の上限数である。相互評価選定アルゴリズムの指定は、相互評価用被験者の選定に使用するアルゴリズム（選定方法）の指定である。
【００３３】
また、ステップＳ１３では、登録したテーマについて回答してもらう被験者を選定し、テーマ割り当てＤＢに登録する。図１０にテーマ割り当てＤＢの構成例を示す。テーマ割り当てＤＢには、各テーマに割り当てられた被験者のＩＤ（ＵＩＤ）を格納する。テーマ割り当てＤＢには、テーマＩＤとＵＩＤの組毎に、回答中種別、調査開始日、調査終了条件などを格納する。回答中種別は、当該被験者が回答中であるのか又は未回答であるのかを示す。調査終了条件としては、例えば、調査期間（例えば終了日時）、評価の登録総数、評価として登録された画像の数、評価として登録された言葉の数などが挙げられる。ステップＳ１３の処理が終了すると、管理者トップページを管理者端末３に表示させる。
【００３４】
次に、図６参照して、被験者端末２に係る処理を説明する。
図６において、ステップＳ２１では、被験者端末２からのアクセスがあると、被験者トップページを被験者端末２に表示させる。図１１に被験者トップページ２０１の構成例を示す。被験者トップページ２０１には、被験者のプロフィールの登録又は修正を選択するための操作ボタン（文字列）と、被験者の回答中のテーマを選択するための操作ボタン（○印）と、被験者の未回答の募集中のテーマを選択するための操作ボタン（○印）とを設ける。被験者の回答中のテーマおよび未回答の募集中のテーマについては、テーマ割り当てＤＢから特定する。
【００３５】
ステップＳ２２では、被験者トップページ２０１上で選択されたプロフィールの登録・修正ページ２０２を被験者端末２に表示させる。図１２にプロフィールの登録・修正ページ２０２の構成例を示す。プロフィールの登録・修正ページ２０２には、被験者のＵＩＤと、プロフィールの入力欄とを設ける。プロフィールの種類としては、例えば、ニックネーム、年齢、性別、テーマへの関心度などが挙げられる。また、被験者が関心のあるテーマを登録できるようにしてもよい。
【００３６】
ステップＳ２３では、プロフィールの登録・修正ページ２０２上で入力された内容をユーザＤＢに登録する。図１３にユーザＤＢの構成例を示す。ユーザＤＢには、被験者毎に、被験者のＵＩＤおよびプロフィール（ニックネーム、年齢、性別、テーマへの関心度など）を格納する。また、新規登録の被験者に対して、登録プロフィールに基づいて募集中のテーマの中から関連するテーマを選択し、未回答のテーマとしてテーマ割り当てＤＢ（図１０参照）に登録する。
【００３７】
ステップＳ３１では、被験者トップページ２０１上で選択されたテーマのトップページを被験者端末２に表示させる。この表示処理において、当該被験者に関し、テーマ割り当てＤＢ中の当該選択テーマの回答中種別を回答中に変更する。そして、当該被験者に係る該回答中に変更したテーマについて、相互評価割り当てＤＢに登録する。図１４に相互評価割り当てＤＢの構成例を示す。相互評価割り当てＤＢには、被験者（ＵＩＤ）とテーマ（テーマＩＤ）の組に対して、相互評価対象の画像又は言葉が、評価種別（画像又は言葉の区別）及び評価ＩＤにより指定されている。また、ＵＩＤ、テーマＩＤ、評価種別及び評価ＩＤの組毎に、相互評価の回答の有無を記録する（図１４では空欄は回答無しを表す）。
【００３８】
相互評価対象の画像又は言葉は、あるテーマについて被験者が登録した評価であり、その登録した被験者とは異なる他の被験者によって評価されるものである。例えば、図１４において被験者（Ｕ１）には、テーマ（Ｔ１）についての相互評価対象として画像（Ｐ２１）と言葉（Ｗ２１，Ｗ２２）が指定されているが、その画像（Ｐ２１）及び言葉（Ｗ２１，Ｗ２２）はテーマ（Ｔ１）についての評価として、被験者（Ｕ１）以外の他の被験者が登録したものである。
【００３９】
また、相互評価については、相互評価管理ＤＢを用いて管理する。図１５に相互評価管理ＤＢの構成例を示す。相互評価管理ＤＢには、被験者（ＵＩＤ）とテーマ（テーマＩＤ）の組に対して登録されている評価の画像又は言葉が、評価種別（画像又は言葉の区別）及び評価ＩＤにより示されている。また、ＵＩＤ、テーマＩＤ、評価種別及び評価ＩＤの組毎に、相互評価用被験者の割り当ての残数（相互評価用被験者残数）を格納する。図１５の例では、被験者（Ｕ１）によるテーマ（Ｔ１）に対する評価（画像（Ｐ１１，Ｐ１２）及び言葉（Ｗ１１））については、全て、相互評価用被験者の上限数まで相互評価用被験者の割り当てが完了している。一方、被験者（Ｕ２）によるテーマ（Ｔ１）に対する評価（画像（Ｐ２１）及び言葉（Ｗ２１，Ｗ２２））については、未だ相互評価用被験者の上限数まで相互評価用被験者の割り当てが達しておらず、相互評価用被験者としてあと一人の割り当てが可能である。
【００４０】
図１６にテーマトップページ２０３の構成例を示す。テーマトップページ２０３には、テーマ名と、評価の新規登録を選択するための操作ボタン（文字列）と、評価の追加登録で評価対象（相互評価対象）となる既存の画像を選択するための操作ボタン（○印）と、評価の追加登録で評価対象（相互評価対象）となる既存の言葉を選択するための操作ボタン（○印）とを設ける。相互評価対象となる既存の画像及び言葉は、相互評価割り当てＤＢ中の未回答の評価ＩＤに対応するものである。その該当する既存の画像及び言葉は一覧で表示する。
【００４１】
ステップＳ３２では、テーマトップページ２０３上で選択された評価の新規登録ページを被験者端末２に表示させる。図１７に評価の新規登録ページ２０４の構成例を示す。評価の新規登録ページ２０４には、テーマ名と、評価として登録する画像の入力欄と、評価として登録する言葉の入力欄と、登録を決定するための操作ボタンとを設ける。
【００４２】
ステップＳ３３では、既存の評価に対する評価を行う相互評価用被験者を選定する。このステップＳ３３では、既存の評価として新規登録ページ２０４上で入力された評価（画像又は言葉）を扱う。まず、新規登録ページ２０４上で入力された評価（画像又は言葉）について相互評価してもらう相互評価用被験者を選定する。そして、その選定結果を相互評価割り当てＤＢに登録する。このときの選定方法は、テーマＤＢに登録の相互評価選定アルゴリズムに従う。相互評価選定アルゴリズムとしては、例えば、無作為に選択する。また、選定する相互評価用被験者の人数は、テーマＤＢに登録の相互評価用被験者上限数までとする。また、相互評価管理ＤＢに、評価の新規登録ページ２０４上で入力された評価（画像又は言葉）についての情報を登録する。
【００４３】
図１８及び図１９に、図１４及び図１５の状態から更新された相互評価割り当てＤＢ及び相互評価管理ＤＢを示す。この例では、被験者（Ｕ３）が、テーマ（Ｔ１）の評価として画像（Ｐ３１）及び言葉（Ｗ３１）を新規登録している。これにより、画像（Ｐ３１）及び言葉（Ｗ３１）に対してそれぞれに相互評価用被験者として被験者（Ｕ１及びＵ２）が選定され、相互評価割り当てＤＢ（図１８参照）に登録されている。また、相互評価管理ＤＢ（図１９参照）には、被験者（Ｕ３）によるテーマ（Ｔ１）の評価（画像（Ｐ３１）及び言葉（Ｗ３１））については、全て、相互評価用被験者の上限数（２）まで相互評価用被験者の割り当てが完了していることが示されている。
【００４４】
ステップＳ３４では、テーマトップページ２０３上で選択された相互評価対象となる既存の画像に対する追加登録ページを被験者端末２に表示させる。図２０には、既存の画像に対する追加登録ページ２０５の構成例を示す。既存の画像に対する追加登録ページ２０５には、テーマ名と、相互評価対象となる登録済みの画像（若しくは該画像を表示させるアイコン）と、相互評価として登録する言葉の入力欄と、登録を決定するための操作ボタンとを設ける。なお、相互評価として画像を登録できるようにしてもよい。
【００４５】
ステップＳ３５では、テーマトップページ２０３上で選択された相互評価対象となる既存の言葉に対する追加登録ページを被験者端末２に表示させる。図２１には、既存の言葉に対する追加登録ページ２０６の構成例を示す。既存の言葉に対する追加登録ページ２０６には、テーマ名と、相互評価対象となる登録済みの言葉と、相互評価として登録する画像の入力欄と、登録を決定するための操作ボタンとを設ける。なお、相互評価として言葉を登録できるようにしてもよい。
【００４６】
ステップＳ３６では、既存の評価に対する評価を行う相互評価用被験者を選定する。このステップＳ３６では、既存の評価として追加登録ページ２０５又は２０６上で入力された評価（画像又は言葉）を扱う。まず、追加登録ページ２０５又は２０６上で入力された評価（画像又は言葉）について相互評価してもらう相互評価用被験者を選定する。そして、その選定結果を相互評価割り当てＤＢに登録する。また、相互評価管理ＤＢに、追加登録ページ２０５又は２０６上で入力された評価（画像又は言葉）についての情報を登録する。
【００４７】
ステップＳ３７では、新規登録ページ２０４上で入力された評価（画像又は言葉）、追加登録ページ２０５又は２０６上で入力された評価（画像又は言葉）を評価ＤＢに登録する。図２２に評価ＤＢの構成例を示す。評価ＤＢには、テーマ（ＴＩＤ）と被験者（ＵＩＤ）と評価（評価ＩＤ）と登録日の組を格納する。評価（評価ＩＤ）は、一緒に登録された画像と言葉を同じ組に登録する。なお、被験者端末２から入力された画像及び言葉のデータ（画像データ及びテキストデータ）については、評価ＩＤを付して記憶部１２に格納し、評価ＩＤから直ぐに検索し取得できるようにしておく。
【００４８】
図２２の例では、テーマ（Ｔ１）に対する被験者（Ｕ１）の評価として、２００７年３月１日に画像（Ｐ１１）と言葉（Ｗ１１）が一緒に登録され、２００７年３月２日に画像（Ｐ１２）が登録されている。また、テーマ（Ｔ１）に対する被験者（Ｕ２）の評価として、２００７年３月１日に画像（Ｐ２１）と言葉（Ｗ２１）が一緒に登録され、この登録とは別に同じ日に言葉（Ｗ２２）が登録されている。また、テーマ（Ｔ１）に対する被験者（Ｕ３）の評価として、２００７年３月２日に画像（Ｐ３１）と言葉（Ｗ３１）が一緒に登録されいる。この被験者（Ｕ３）の評価（画像（Ｐ３１））に対する相互評価用被験者（Ｕ１）の評価（相互評価）として、言葉（Ｗ１２）が画像（Ｐ３１）とともに登録されいる。
【００４９】
また、相互評価割り当てＤＢに相互評価の登録日を回答有無欄に格納する。図２３に、図１８の状態から更新された相互評価割り当てＤＢを示す。この例では、図２２中の相互評価用被験者（Ｕ１）による相互評価（画像（Ｐ３１）に対する評価（言葉（Ｗ１２）））の登録日（２００７年３月２日）が回答有無欄に格納されている。
【００５０】
ステップＳ３８では、テーマの調査終了をテーマＤＢ中の終了条件に従って判定する。この判定の結果、終了条件を満たしている場合には調査を終了する。一方、終了条件を満たしている場合には調査を継続する。
【００５１】
調査が終了したテーマについては、ステップＳ４０で評価ネットワーク（評価ＮＷ）の構築処理を行う。評価ＮＷ構築処理は、評価ＤＢに基づいて、ある一つのテーマに関する評価間の関連を表すデータを作成する処理である。評価ＤＢは、テーマ毎に、評価を関連付けて記録している。さらに、ある一つのテーマに対する直接的な評価（新規登録ページから登録された評価）と、既に登録済みの評価に対する評価（追加登録ページから登録された評価）とを関連付けて記録している。評価ＮＷ構築処理では、その評価ＤＢ中の評価の関連付けに基づいて、ある一つのテーマに関する評価間の関連を表すデータを作成する。
【００５２】
例えば、図２４に示されるように、関連のある評価間を接続したネットワークを形成する評価ネットワークデータを作成する。評価ネットワークデータは、図２４に示されるようなネットワークの形として表示することができるものである。図２４の例では、例えば言葉「きれい」に対して画像「画像１」及び「画像４」が関連付けられている。また、画像「画像３」に対して言葉「都会的」及び「美しい」が関連付けられている。画像「画像２」は他の評価との関連付けがない。言葉「かっこいい」は他の評価との関連付けがない。
【００５３】
この図２４の例では、評価ＤＢ中で、言葉「きれい」とともに画像「画像１」及び「画像４」が一緒に登録されている。つまり、同じ言葉「きれい」に対して関連付けのある画像「画像１」及び「画像４」が評価ＤＢから抽出されることにより、図２４に示される評価ネットワークデータ中において言葉「きれい」に対して画像「画像１」及び「画像４」が関連付けられる。このように、評価ＤＢ中のある評価（画像又は言葉）に対して関連付けのある評価（画像又は言葉）を抽出し、抽出した評価間をデータ上で接続することにより、評価ネットワークデータを作成することができる。なお、画像「画像１」と「画像４」とは、言葉「きれい」とともに同じ被験者が登録していてもよく、或いは、言葉「きれい」と画像「画像１」を被験者Ａが登録し、言葉「きれい」と画像「画像４」を被験者Ｂが登録するというように、異なる被験者が別個に登録していてもよい。
【００５４】
なお、評価間の関連を表すデータとしては、ネットワーク形式に限定されず、例えば、テーブル形式、リスト形式などが挙げられる。
【００５５】
また、評価ＮＷ構築処理については、調査装置１とは別の装置が行ってもよい。例えば、調査装置１から評価ＤＢ中のデータを通信ネットワーク４経由で取得し、評価ＮＷ構築処理を行うようにしてもよい。或いは、評価ＤＢ中のデータをＤＶＤ等の記録媒体に記録し、該記録媒体からデータを読み出して評価ＮＷ構築処理を行うようにしてもよい。
【００５６】
上述した実施例１によれば、インターネット等の通信ネットワークを利用して調査対象に対する被験者の評価を得るとともに、ある被験者の評価に対する第三者の評価（相互評価）を得ることができる。そして、ある一つのテーマに対する直接的な評価と既存の評価に対する評価とを得て、それら評価を関連付けて記録した評価ＤＢを構築することができる。この評価ＤＢを利用することにより、調査対象に係る評価構造を詳細に分析することが可能になるという格別の効果が得られる。
【００５７】
また、相互評価用被験者及び回答の有無を記録する相互評価割り当てデータベースを備えたことにより、未だ回答のない相互評価用被験者に対してのみ相互評価を依頼することができる。これにより、効率的に相互評価を行うことができるようになる。
【００５８】
また、既存の評価に対する相互評価用被験者の割り当て数を管理する相互評価管理データベースを備えたことにより、相互評価用被験者数を任意に制限することができる。これにより、効果的な被験者数で相互評価を行うことができるようになる。
【実施例２】
【００５９】
実施例２について実施例１との差分を説明する。
実施例２では、被験者が既存の評価（画像又は言葉）の中から自己の評価に合致するものを選んで登録することができるようにする。
【００６０】
まず、図６のステップＳ３２で被験者端末２に表示させる新規登録ページに、図２５に示すように、既存の評価（画像又は言葉）の中から選択して登録可能にする。図２５に示す新規登録ページ２１０には、実施例１の新規登録ページ２０４（図１７参照）に対し、さらに、登録する評価を既存の画像又は言葉から選ぶためのメニューが追加されている。この既存の画像又は言葉から選ぶためのメニューが選択された場合には、既存の画像又は言葉の一覧を被験者端末２に表示させる。
【００６１】
同様に、図６のステップＳ３４で被験者端末２に表示させる追加登録ページに、図２６に示すように、既存の評価（言葉）の中から選択して登録可能にする。図２６に示す追加登録ページ２１１には、実施例１の追加登録ページ２０５（図２０参照）に対し、さらに、登録する評価を既存の言葉から選ぶためのメニューが追加されている。この既存の言葉から選ぶためのメニューが選択された場合には、既存の言葉の一覧を被験者端末２に表示させる。
【００６２】
同様に、図６のステップＳ３５で被験者端末２に表示させる追加登録ページに、図２７に示すように、既存の評価（画像）の中から選択して登録可能にする。図２７に示す追加登録ページ２１２には、実施例１の追加登録ページ２０６（図２１参照）に対し、さらに、登録する評価を既存の画像から選ぶためのメニューが追加されている。この既存の画像から選ぶためのメニューが選択された場合には、既存の画像の一覧を被験者端末２に表示させる。
【００６３】
既存の画像又は言葉の一覧の作成方法としては、まず、評価ＤＢの中から当該テーマ（ＴＩＤ）であって登録者が当該被験者（ＵＩＤ）ではない評価ＩＤを検索する。そして、その検索結果の画像又は言葉を一覧に含める。
【００６４】
被験者は、被験者端末２に表示された既存の画像又は言葉の一覧の中から、自己の評価に合致するものを選択し、自己の評価として登録する。
【００６５】
上述した実施例２によれば、被験者は、同じ意味を表す言葉又は画像が既に登録されているときには、その既存の言葉又は画像を自己の評価として登録することができる。これにより、同じ意味を表す言葉又は画像が表現上の違いだけで複数の種類が登録されることを防止することができる。
【実施例３】
【００６６】
実施例３について実施例１との差分を説明する。
実施例３では、評価ＤＢ中に評価世代を記録する。図２８に実施例３の評価ＤＢの構成例を示す。図２８に示すように評価ＤＢには、評価世代（画像世代属性、言葉世代属性）を格納する領域を設ける。被験者が新規登録ページから登録した評価は、評価世代「０」である。被験者が追加登録ページから既存の評価に対する評価（相互評価）として登録した評価は、評価世代「０」である。そして、そのときの相互評価の対象となった既存の評価は、評価世代「１」である。評価世代「０」は、当該被験者の独自の評価であることを表す。評価世代「１」は、当該被験者の独自の評価ではないことを表す。
【００６７】
図２８の例では、画像（Ｐ３１）は、被験者（Ｕ３）の独自の評価であるので、被験者（Ｕ３）には評価世代（画像世代属性）「０」である。一方、画像（Ｐ３１）は、被験者（Ｕ１）の独自の評価であはないので、被験者（Ｕ１）には評価世代（画像世代属性）「１」である。言葉（Ｗ１２）は、被験者（Ｕ１）による画像（Ｐ３１）に対する相互評価であり、被験者（Ｕ１）の独自の評価であるので、被験者（Ｕ１）には評価世代（画像世代属性）「０」である。
【００６８】
上述した実施例３によれば、評価世代が評価ＤＢに記録されるので、評価構造の分析に役立ち、分析能力の向上に寄与することができる。
【００６９】
なお、評価世代として、被験者の独自の評価から何代目の評価であるのかを示すようにしてもよい。これにより、更なる分析能力の向上が期待できる。
【実施例４】
【００７０】
実施例４について実施例１との差分を説明する。
実施例４では、被験者の評価がどの程度、テーマに合致しているのかを表す合致度を登録することができるようにする。また、被験者が同時に複数の評価を登録する場合に、該評価間でどの程度、合致しているのかを表す合致度を登録することができるようにする。
【００７１】
まず、図６のステップＳ３２で被験者端末２に表示させる新規登録ページに、図２９に示すように、テーマと評価（画像又は言葉）の合致度、又は、評価間の合致度を登録可能にする。図２９に示す新規登録ページ２２０には、実施例１の新規登録ページ２０４（図１７参照）に対し、さらに、登録する評価（画像又は言葉）とテーマの合致度を入力する欄と、登録する評価間（画像と言葉の間）の合致度を入力する欄とが追加されている。
【００７２】
同様に、図６のステップＳ３４で被験者端末２に表示させる追加登録ページに、図３０に示すように、テーマと既存の評価（画像）との合致度、又は、評価間（既存の評価とこれに対する相互評価との間）の合致度を登録可能にする。図３０に示す追加登録ページ２２１には、実施例１の追加登録ページ２０５（図２０参照）に対し、さらに、テーマと既存の評価（画像）との合致度を入力する欄と、既存の評価（画像）とこれに対する相互評価（言葉）との間の合致度を入力する欄とが追加されている。
【００７３】
同様に、図６のステップＳ３５で被験者端末２に表示させる追加登録ページに、図３１に示すように、テーマと既存の評価（言葉）との合致度、又は、評価間（既存の評価とこれに対する相互評価との間）の合致度を登録可能にする。図３１に示す追加登録ページ２２２には、実施例１の追加登録ページ２０６（図２１参照）に対し、さらに、テーマと既存の評価（言葉）との合致度を入力する欄と、既存の評価（言葉）とこれに対する相互評価（画像）との間の合致度を入力する欄とが追加されている。
【００７４】
合致度の入力範囲は、予め管理者が決定し、被験者に提示する。合致度の入力範囲としては、例えば、０（完全不一致）から１００（完全一致）までの１００段階で合致度を表すことができるようにする。
【００７５】
新規登録ページ２２０、追加登録ページ２２１又は２２２上で入力された合致度については、評価ＤＢに登録する。図３２に実施例４の評価ＤＢの構成例を示す。図３２に示すように評価ＤＢには、評価（画像又は言葉）とテーマの合致度を格納する領域と、評価間（画像と言葉）の合致度を格納する領域とを設ける。新規登録ページ２２０、追加登録ページ２２１又は２２２上で入力された合致度は、評価ＤＢ中の該当領域に格納される。
【００７６】
上述した実施例４によれば、テーマと評価の合致度、又は、評価間の合致度が評価ＤＢに記録されるので、評価構造の分析に役立ち、分析能力の向上に寄与することができる。
【００７７】
図３３は、実施例４に係る評価ネットワークデータの構成例である。図３３の評価ネットワークデータは、評価ＤＢに基づいた評価間の合致度を有する。図３３の例では、合致度は０（完全不一致）から１（完全一致）の範囲の実数で表されている。また、図３２に示されるように、評価ネットワークデータからネットワークの形として表示する際に、評価間を接続する線を合致度に応じた太さで表示することができる。
【００７８】
また、図３４に示されるように、評価ネットワークデータ中に被験者の情報を含めるようにしてもよい。図３４の例では、評価ＤＢに基づいて被験者のＵＩＤ（ｕ１，ｕ２，ｕ３）がそれぞれの評価に関連付けられており、ネットワークの形として表示する際には被験者のＵＩＤ（ｕ１，ｕ２，ｕ３）がそれぞれの評価に接続される。評価ネットワークデータ中に被験者の情報を含める点は、実施例１〜４のいずれにも適用することができる。
【００７９】
なお、実施例１に対して実施例２，３，４のいずれか又は複数を組み合わせることが可能である。
【００８０】
上述したように本実施形態によれば、インターネット等の通信ネットワークを利用して調査対象に対する被験者の評価を得るとともに、ある被験者の評価に対する第三者の評価を得ることができることから、ある一つのテーマに対する直接的な評価と既存の評価に対する評価とを得て、それら評価を関連付けて記録した評価ＤＢを構築することができる。この評価ＤＢを利用することにより、調査対象に係る評価構造を詳細に分析することが可能になるという格別の効果が得られる。
【００８１】
また、本実施形態によれば以下の効果が得られる。
（１）調査対象（例えば商品）を評するための言葉を事前に準備する場合に比して、最新且つ被験者個々に最適の（個人差が反映された）言葉を調査対象に対する評価として得ることができる。また、事前準備の負荷が軽減される。
（２）評価として画像を登録可能とすることにより、言葉だけでは表現しきれない評価（非言語的、複合的かつ複雑な評価）を得ることができ、評価構造の分析に大いに寄与する。
（３）ある被験者が登録した評価（画像又は言葉）に対して他の被験者が合致する評価（画像又は言葉）を登録するようにしたことにより、自己増殖的に評価（画像又は言葉）の蓄積量を増やすことができる。
【００８２】
なお、図４、図５又は図６に示す各ステップを実現するためのプログラムをコンピュータ読み取り可能な記録媒体に記録して、この記録媒体に記録されたプログラムをコンピュータシステムに読み込ませ、実行することにより、調査処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００８３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００８４】
以上、本発明の実施形態について図面を参照して詳述してきたが、具体的な構成はこの実施形態に限られるものではなく、本発明の要旨を逸脱しない範囲の設計変更等も含まれる。
例えば、上述の実施形態では、画像及び言葉の両方を評価として登録できるように構成したが、画像のみ若しくは言葉のみを評価として登録するようにしてもよい。又、音声を評価として登録できるように構成してもよい。この場合、Ｗｅｂページ上で既存の評価である音声が選択された場合に、当該音声が端末上で再生されるようにＷｅｂページを構成する。
【００８５】
また、調査対象は、言葉、画像又は音声で表現されてもよい。これによりテーマの登録方法として、被験者に提示する言葉、画像又は音声を記録するようにし、被験者に対して言葉、画像又は音声を提示又は再生するようにしてもよい。例えば、テーマが「△△車の評価」であった場合に、△△車の画像を記録し、被験者にその画像を提示して評価してもらうようにしてもよい。
【図面の簡単な説明】
【００８６】
【図１】本発明の一実施形態に係る調査システムの全体構成を示すブロック図である。
【図２】図１に示す調査装置１のハードウェア構成を示すブロック図である。
【図３】図１に示す調査装置１の機能構成を示すブロック図である。
【図４】図１に示す調査システムにおける調査処理全体の流れを示すシーケンスチャートである。
【図５】本発明の実施例１に係る調査処理の流れを示すフローチャートである。
【図６】同実施例１に係る調査処理の流れを示すフローチャートである。
【図７】同実施例１に係る管理者トップページ１０１の構成例である。
【図８】同実施例１に係るテーマの新規登録・修正ページ１０２の構成例である。
【図９】同実施例１に係るテーマＤＢの構成例である。
【図１０】同実施例１に係るテーマ割り当てＤＢの構成例である。
【図１１】同実施例１に係る被験者トップページ２０１の構成例である。
【図１２】同実施例１に係るプロフィールの登録・修正ページ２０２の構成例である。
【図１３】同実施例１に係るユーザＤＢの構成例である。
【図１４】同実施例１に係る相互評価割り当てＤＢの構成例である。
【図１５】同実施例１に係る相互評価管理ＤＢの構成例である。
【図１６】同実施例１に係るテーマトップページ２０３の構成例である。
【図１７】同実施例１に係る新規登録ページ２０４の構成例である。
【図１８】同実施例１に係る相互評価割り当てＤＢの構成例である。
【図１９】同実施例１に係る相互評価管理ＤＢの構成例である。
【図２０】同実施例１に係る追加登録ページ２０５の構成例である。
【図２１】同実施例１に係る追加登録ページ２０５の構成例である。
【図２２】同実施例１に係る評価ＤＢの構成例である。
【図２３】同実施例１に係る相互評価割り当てＤＢの構成例である。
【図２４】同実施例１に係る評価ネットワークデータの構成例である。
【図２５】本発明の実施例２に係る新規登録ページ２１０の構成例である。
【図２６】同実施例２に係る追加登録ページ２１１の構成例である。
【図２７】同実施例２に係る追加登録ページ２１２の構成例である。
【図２８】本発明の実施例３に係る評価ＤＢの構成例である。
【図２９】本発明の実施例４に係る新規登録ページ２２０の構成例である。
【図３０】同実施例４に係る追加登録ページ２２１の構成例である。
【図３１】同実施例４に係る追加登録ページ２２２の構成例である。
【図３２】同実施例４に係る評価ＤＢの構成例である。
【図３３】同実施例４に係る評価ネットワークデータの構成例である。
【図３４】同実施例４に係る評価ネットワークデータの構成例である。
【符号の説明】
【００８７】
１…調査装置、２…被験者端末、３…管理者端末、４…通信ネットワーク、１１…ＣＰＵ、１２…記憶部、１３…通信部、１４…操作部、１５…表示部、１６…外部装置インタフェース部、２１…パケット通信処理部、２２…Ｗｅｂ処理部、２３…調査処理部
【図１】
0004937048.tif 000002
【図２】
0004937048.tif 000003
【図３】
0004937048.tif 000004
【図４】
0004937048.tif 000005
【図５】
0004937048.tif 000006
【図６】
0004937048.tif 000007
【図７】
0004937048.tif 000008
【図８】
0004937048.tif 000009
【図９】
0004937048.tif 000010
【図１０】
0004937048.tif 000011
【図１１】
0004937048.tif 000012
【図１２】
0004937048.tif 000013
【図１３】
0004937048.tif 000014
【図１４】
0004937048.tif 000015
【図１５】
0004937048.tif 000016
【図１６】
0004937048.tif 000017
【図１７】
0004937048.tif 000018
【図１８】
0004937048.tif 000019
【図１９】
0004937048.tif 000020
【図２０】
0004937048.tif 000021
【図２１】
0004937048.tif 000022
【図２２】
0004937048.tif 000023
【図２３】
0004937048.tif 000024
【図２４】
0004937048.tif 000025
【図２５】
0004937048.tif 000026
【図２６】
0004937048.tif 000027
【図２７】
0004937048.tif 000028
【図２８】
0004937048.tif 000029
【図２９】
0004937048.tif 000030
【図３０】
0004937048.tif 000031
【図３１】
0004937048.tif 000032
【図３２】
0004937048.tif 000033
【図３３】
0004937048.tif 000034
【図３４】
0004937048.tif 000035